(57)【要約】  【課題】発光体の光を観賞者の目に直射させず、発光体の熱を装飾造形品から散熱させることができ、装飾造形品としての造形美を表現することができる装飾ランプを提供する。  【解決手段】本考案の装飾ランプ１０は、光を透過する光透過装飾造形基板１、光を抑えて透過する半透明装飾造形カバー３、光透過装飾造形基板１及び半透明装飾造形カバー３の間で位置決めして導線２１を介した通電により発光する多数の発光体２とを備え、光透過装飾造形基板１は、光を透過する網目状のメッシュシート１３、その外周を囲むフレーム１２、発光体２を挟んで固定する多数の位置決めクランプ１１を備え、半透明装飾造形カバー３は、光透過装飾造形基板１と連結し、光透過装飾造形基板１の形状と略同一で対称である。【選択図】図１
0003130750.tif 000002
【実用新案登録請求の範囲】
【請求項１】
光を透過する光透過装飾造形基板と、
光を抑えて透過する半透明装飾造形カバーと、
前記光透過装飾造形基板及び前記半透明装飾造形カバーの間で位置決めして導線を介した通電により発光する多数の発光体とを備え、
前記光透過装飾造形基板は、光を透過する網目状のメッシュシートと、前記メッシュシートの外周を囲むフレームと、前記発光体を挟んで固定する多数の位置決めクランプとを備え、前記半透明装飾造形カバーは、前記光透過装飾造形基板と連結し、前記光透過装飾造形基板の形状と略同一で対称であることを特徴とする装飾ランプ。
【請求項２】
前記位置決めクランプを設ける前記メッシュシートの同一片側面に前記導線を挟んで位置決めする二個一組のピンを備えることを特徴とする請求項１に記載の装飾ランプ。
【請求項３】
前記フレームの外縁には吸盤または吊具を付ける止め輪を設けることを特徴とする請求項１に記載の装飾ランプ。
【請求項４】
前記メッシュシートの片側面にはジョイントを設け、前記メッシュシートの片側面と対応する前記半透明装飾造形カバーの片側面には穴を設け、前記ジョイントと前記穴を結合することで、前記光透過装飾造形基板と前記半透明装飾造形カバーを連結することを特徴とする請求項１に記載の装飾ランプ。
【請求項５】
前記光透過装飾造形基板と前記半透明装飾造形カバーの表面にスプレーペインティングを施すことを特徴とする請求項１に記載の装飾ランプ。
【請求項６】
光を透過する光透過装飾造形基板と、
光を抑えて透過する半透明装飾造形カバーと、
前記光透過装飾造形基板及び前記半透明装飾造形カバーの間で位置決めして導線を介した通電により発光する多数の発光体とを備え、
前記光透過装飾造形基板は、前記発光体を挟んで固定する多数の位置決めクランプを備え、前記半透明装飾造形カバーは、前記光透過装飾造形基板と連結し、前記光透過装飾造形基板の形状と略同一で対称であることを特徴とする装飾ランプ。
【考案の詳細な説明】
【技術分野】
【０００１】
本考案は装飾ランプに関する。
【背景技術】
【０００２】
装飾ランプは電球、ＬＥＤ、光ケーブル等による発光体を、装飾造形品に設置することにより、夜間の風景を装飾するものである。装飾ランプは、クリスマスシーズンに広く見られる他、遊園地や観光名所等でも見られる。また、最近では家の周りに装飾ランプを設置する個人宅も増えてきている。
【特許文献１】特開２００５−２０５８５５号公報
【考案の開示】
【考案が解決しようとする課題】
【０００３】
しかしながら、装飾ランプは、発光体が露出している場合には、観賞者の目に直射して眩しいので長時間の観賞はできず、十分に堪能できないという問題があった。また、装飾ランプの発光体を露出しないで、装飾造形品の内部に設置する場合には、発光体の熱が内部にこもって散熱しないため、熱により看板内部の樹脂等が変形してしまうことがあるという問題があった。さらに、装飾ランプは、その発光体の発光色や点灯方式等は重視されているものの、装飾造形品としての造形美を表現しているとは言えないという問題があった。
【０００４】
このような問題に着目し、本考案は、発光体の光を観賞者の目に直射させず、発光体の熱を装飾造形品から散熱させることができ、装飾造形品としての造形美を表現することができる装飾ランプを提供することを目的とする。
【課題を解決するための手段】
【０００５】
本考案の請求項１に記載の装飾ランプは、光を透過する光透過装飾造形基板と、光を抑えて透過する半透明装飾造形カバーと、前記光透過装飾造形基板及び前記半透明装飾造形カバーの間で位置決めして導線を介した通電により発光する多数の発光体とを備え、前記光透過装飾造形基板は、光を透過する網目状のメッシュシートと、前記メッシュシートの外周を囲むフレームと、前記発光体を挟んで固定する多数の位置決めクランプとを備え、前記半透明装飾造形カバーは、前記光透過装飾造形基板と連結し、前記光透過装飾造形基板の形状と略同一で対称であることを特徴とする。
【０００６】
本考案の請求項２に記載の装飾ランプは、請求項１に記載の装飾ランプにおいて、前記位置決めクランプを設ける前記メッシュシートの同一片側面に前記導線を挟んで位置決めする二個一組のピンを備えることを特徴とする。
【０００７】
本考案の請求項３に記載の装飾ランプは、請求項１に記載の装飾ランプにおいて、前記フレームの外縁には吸盤または吊具を付ける止め輪を設けることを特徴とする。
【０００８】
本考案の請求項４に記載の装飾ランプは、請求項１に記載の装飾ランプにおいて、前記メッシュシートの片側面にはジョイントを設け、前記メッシュシートの片側面と対応する前記半透明装飾造形カバーの片側面には穴を設け、前記ジョイントと前記穴を結合することで、前記光透過装飾造形基板と前記半透明装飾造形カバーを連結することを特徴とする。
【０００９】
本考案の請求項５に記載の装飾ランプは、請求項１に記載の装飾ランプにおいて、前記光透過装飾造形基板と前記半透明装飾造形カバーの表面にスプレーペインティングを施すことを特徴とする。
【００１０】
本考案の請求項６に記載の装飾ランプは、光を透過する光透過装飾造形基板と、光を抑えて透過する半透明装飾造形カバーと、前記光透過装飾造形基板及び前記半透明装飾造形カバーの間で位置決めして導線を介した通電により発光する多数の発光体とを備え、前記光透過装飾造形基板は、前記発光体を挟んで固定する多数の位置決めクランプを備え、前記半透明装飾造形カバーは、前記光透過装飾造形基板と連結し、前記光透過装飾造形基板の形状と略同一で対称であることを特徴とする。
【考案の効果】
【００１１】
本考案の請求項１に記載の装飾ランプによれば、発光体が発光すると、光透過装飾造形基板のメッシュシートは光を透過して拡散する一方、半透明装飾造形カバーは光を抑えて透過するので異なる発光面を有する。これにより、半透明装飾造形カバーにより観賞者の目に直射することはなく、また、発光体の熱は光透過装飾造形基板により散熱させることができ、その結果、観賞者の目も眩しくないので長時間の観賞もできて十分に堪能でき、また、光透過装飾造形基板や半透明装飾造形カバーの樹脂等が変形してしまうこともない。さらに、装飾造形品としての造形美を表現することができる。
【００１２】
また、本考案の請求項２に記載の装飾ランプによれば、発光体を光透過装飾造形基板に取り付ける際の導線の位置決めを簡単に行うことができる。
【００１３】
本考案の請求項３に記載の装飾ランプによれば、壁面や草木等への装飾ランプ１０の取り付けを簡単に行うことができる。
【００１４】
さらに、本考案の請求項４に記載の装飾ランプによれば、光透過装飾造形基板と半透明装飾造形カバーとの連結を簡単に行うことができる。
【００１５】
本考案の請求項５に記載の装飾ランプによれば、光透過装飾造形基板と半透明装飾造形カバーの表面に立体的かつ美しい装飾効果を得ることができる。
【００１６】
また、本考案の請求項６に記載の装飾ランプによれば、半透明装飾造形カバーにより観賞者の目に直射することはなく、また、発光体の熱は光透過装飾造形基板により散熱させる一方で、光透過装飾造形基板は半透明装飾造形カバーと同様の発光効果を得る形態を実現でき、発光体の熱は光透過装飾造形基板により散熱させることができ、その結果、観賞者の目も眩しくないので長時間の観賞もできて十分に堪能でき、また、光透過装飾造形基板や半透明装飾造形カバーの樹脂等が変形してしまうこともない。さらに、装飾造形品としての造形美を表現することができる。
【考案を実施するための最良の形態】
【００１７】
以下、本考案を実施するための最良の形態いついて説明する。図１は本考案の第１の実施の形態の装飾ランプの分解斜視図を示す。装飾ランプ１０は、光を透過する光透過装飾造形基板１と、光を抑えて透過する半透明装飾造形カバー３と、光透過装飾造形基板１及び半透明装飾造形カバー３の間で位置決めして導線２１を介した通電により発光する多数の発光体２とからなる。半透明装飾造形カバー３は、光透過装飾造形基板１と連結し、光透過装飾造形基板１の形状と略同一で対称であり、何れもプラスチック等により製造される。
【００１８】
また、光透過装飾造形基板１は、光を透過する網目状のメッシュシート１３、メッシュシート１３の外周を囲むフレーム１２、及び発光体２を挟んで固定する多数の位置決めクランプ１１（図４参照）を備える。光透過装飾造形基板１は、メッシュシート１３の外周をフレーム１２で囲んで造形している（図２参照）。
【００１９】
メッシュシート１３の片側面にはジョイント１４を設け、一方、メッシュシート１３の片側面と対応する半透明装飾造形カバー３の片側面には穴３１を設け、ジョイント１４と穴３１を結合することで、光透過装飾造形基板１と前記半透明装飾造形カバー３を連結する（図３参照）。これにより、光透過装飾造形基板１と半透明装飾造形カバー３との連結を簡単に行うことができる。光透過装飾造形基板１と半透明装飾造形カバー３を連結した時、発光体２及び導線２１は光透過装飾造形基板１と半透明装飾造形カバー３との間に遮蔽され、一部の導線２１及び導線末端のプラグ２２だけが露出した状態になる（図５参照）。
【００２０】
また、光透過装飾造形基板１の位置決めクランプ１１は、「Ｃ」状の止め輪を形成し、ここに発光体２のランプベース２ａを挟んで固定し、この状態で発光機能を有するランプ２ｂを発光する（図２，図４参照）。さらに、位置決めクランプ１１を設けるメッシュシート１３の同一片側面には二個一組で導線２１を挟んで位置決めするピン１５を設け、これにより、発光体２を光透過装飾造形基板１に取り付ける際の導線１５の位置決めを簡単に行うことができる。
【００２１】
また、光透過装飾造形基板１のフレーム１２の外縁には吸盤４または吊具（図示なし）を付ける止め輪１６を設け、吸盤４または吊具を利用することにより、装飾ランプ１０を壁面や草木等に掛けて取り付ける。これにより、壁面や草木等への装飾ランプ１０の取り付けを簡単に行うことができる。その他、光透過装飾造形基板１と半透明装飾造形カバー３の表面にスプレーペインティングを施すことで立体的かつ美しい装飾効果を得ることができる。スプレーペインティングは、例えばサンタクロースの赤い帽子や黒ブーツ等を施す。
【００２２】
装飾ランプ１０は、発光体２が発光すると、光透過装飾造形基板１のメッシュシート１３は光を透過して拡散する一方、半透明装飾造形カバー３は光を抑えて透過するので異なる発光面を有する。例えば、装飾ランプ１０を壁面や草木等に装飾ランプ１０を取り付ける場合は、壁面や草木等の側に光透過装飾造形基板１、鑑賞者側に半透明装飾造形カバー３を向けて装飾することにより、発光体２が発光した時、装飾ランプ１０は、光透過装飾造形基板１からは広がるような光が出ていくが、半透明装飾造形カバー３からはぼんやりしたような光が出ていく。すなわち、発光体２が発光した時、半透明装飾造形カバー３により観賞者の目に直射することはなく、また、発光体２の熱は光透過装飾造形基板１により散熱させることができる。
【００２３】
以上、本考案の第１の実施の形態の装飾ランプ１０によれば、観賞者の目も眩しくないので長時間の観賞もできて十分に堪能でき、また、光透過装飾造形基板１や半透明装飾造形カバー３の樹脂等が変形してしまうこともない。さらに、装飾造形品としての造形美を表現することができる。
【００２４】
図６は第２の実施の形態の装飾ランプの分解斜視図を示す。第１の実施の形態の装飾ランプと異なる点は、光透過装飾造形基板１が半透明装飾造形カバー３と同様、半透明であるという点である。これにより、発光体２が発光した時、装飾ランプ１０は、光透過装飾造形基板１からは半透明装飾造形カバー３と同様、ぼんやりしたような光が出ていく。なお、光透過装飾造形基板１には発光体２の熱を散熱させることができるよう、光を透過することができる隙間（図示しない）を設けることも必要である。これにより、本考案の第２の実施の形態も第１の実施の形態と同様の効果を得ることができる。
【００２５】
以上、本考案の実施の形態について説明したが、本考案は、その要旨を逸脱しない範囲で適宜に変更及び実施できるものである。
【図面の簡単な説明】
【００２６】
【図１】本考案の第１の実施の形態で用いる装飾ランプの分解斜視図
【図２】光透過装飾造形基板における発光体の位置決めを示す図
【図３】光透過装飾造形基板と半透明装飾造形カバーとの連結を示す図
【図４】位置決めクランプ及び発光体を示す図
【図５】本考案の第１の実施の形態で用いる装飾ランプの組立斜視図
【図６】本考案の第２の実施の形態で用いる装飾ランプの分解斜視図
【符号の説明】
【００２７】
１０  装飾ランプ
１  光透過装飾造形基板
１１  位置決めクランプ
１２  フレーム
１３  メッシュシート
１４  ジョイント
１５  ピン
１６  止め輪
２  発光体
２ａ  ランプベース
２ｂ  ランプ
２１  導線
２２  プラグ
３  半透明装飾造形カバー
３１  穴
４  吸盤
【図１】
0003130750.tif 000003
【図２】
0003130750.tif 000004
【図３】
0003130750.tif 000005
【図４】
0003130750.tif 000006
【図５】
0003130750.tif 000007
【図６】
0003130750.tif 000008